(57)【要約】      （修正有）【課題】組み付け時における作業性を向上した光ピックアップ、及びこの光ピックアップを用いた光ディスク装置を提供する。【解決手段】レンズ移動機構５０は、第１の方向に伸びたガイド７０（７１、７２）と、ガイド７０により第１の方向にスライド可能にガイドされるレンズ保持部材６０と、レンズ保持部材６０に対してガイド７０に向けた力を加える付勢部材として機能するバネ９０と、レンズ保持部材６０を、第１の方向にスライドさせる伝達機構８０と、を有する。レンズ保持部材６０は、ガイド７０と対向する側が開いた溝形状であり、溝形状の内壁でガイドを受ける受け部６１、６４を有する。【選択図】図４
2015225678.tif 000002
【特許請求の範囲】
【請求項１】
光学部品を配置した光ピックアップと、前記光学部品の光軸上に配置された球面収差補正用レンズを、第１の方向にスライドさせるレンズ移動機構と、を備える光ディスク装置であって、
前記レンズ移動機構は、
前記第１の方向に伸びたガイドと、
前記ガイドにより前記第１の方向にスライド可能にガイドされるレンズ保持部材と、
前記レンズ保持部材に対して前記ガイドに向けた力を加える付勢部材と、
前記レンズ保持部材を、前記第１の方向にスライドさせる伝達機構と、を有し、
前記レンズ保持部材は、前記ガイドと対向する側が開いた溝形状であり、前記溝形状の内壁で前記ガイドを受ける受け部を有する、ことを特徴とする光ディスク装置。
【請求項２】
前記伝達機構は、モーターと、前記モーターの回転に合わせて前記レンズ保持部材を前記第１の方向に沿って押し出すナット部材と、を有し、
前記ナット部材は、前記レンズ保持部材と係わり、前記レンズ保持部材の前記第１の方向と交差する第２の方向での動きを規制する規制片を有する、ことを特徴とする請求項１に記載の光ディスク装置。
【請求項３】
前記レンズ移動機構は、前記受け部の開いた側と反対側から、前記レンズ保持部材を抑える押さえ部材を、有することを特徴とする請求項１または請求項２のいずれかに記載の光ディスク装置。
【請求項４】
前記受け部の内幅は、前記ガイドの幅と比べて大きい、ことを特徴とする請求項１から請求項３のいずれかに記載の光ディスク装置。
【請求項５】
前記光ピックアップは、前記光学部品を保持するシャーシを有し、
前記ガイドは、前記シャーシに一体で形成されている、ことを特徴とする請求項１から請求項４のいずれか一項に記載の光ディスク装置。
【請求項６】
前記ガイドと前記受け部とは、互いに係わる抜け止め部が形成されている、ことを特徴とする請求項１から請求項５のいずれか一項に記載の光ディスク装置。
【請求項７】
光学部品と、前記光学部品の光軸上に配置された球面収差補正用レンズと、前記球面収差補正用レンズを第１の方向にスライドさせるレンズ移動機構と、を備える光ピックアップであって、
前記レンズ移動機構は、
前記第１の方向に伸びたガイドと、
前記ガイドを介して前記第１の方向にスライド可能に保持されたレンズ保持部材と、
前記レンズ保持部材に対して前記ガイドに向けた力を加える付勢部材と、
前記レンズ保持部材を、前記第１の方向にスライドさせる伝達機構と、を有し、
前記レンズ保持部材は、前記ガイドと対向する側が開いた溝形状であり、前記溝形状の内壁で前記ガイドを受ける受け部を有する、ことを特徴とする光ピックアップ。
【発明の詳細な説明】
【技術分野】
【０００１】
本発明は、球面収差を補正するためのレンズを移動させるレンズ移動機構を備える光ピックアップに関する。
【背景技術】
【０００２】
従来、ＤＶＤ（Digital Versatile Disk）、ＢＤ（Blu-ray Disc  登録商標）等の光学式記録装置に対して情報の読み取りや情報の書き込みを行う光ピックアップが知られている。光ピックアップは、内部にレンズやミラー等の光学部品を配置しており、レーザー光を光学部品により形成された光路を介して光ディスクに照射させる（例えば、特許文献１参照）。また、光ピックアップによる情報の読み取りでは、光ディスクから反射した反射光を光学部品を用いてフォトディテクター等の受光素子に受光させ、情報を読み取る。
【０００３】
光学式記憶装置に照射される光（スポット）に球面収差が生じる場合がある。球面収差は、受光素子の受光量に影響を与えるため、好ましくない。そのため、光路上に球面収差補正レンズを配置し、この球面収差補正レンズを光軸に沿って動かすことで球面収差を補正する構成（レンズ移動機構）を備える光ディスク装置も知られている（例えば、特許文献２、３参照。）。
【０００４】
レンズ移動機構では、球面収差補正レンズを保持するレンズ保持部材と、レンズ保持部材をガイドするガイドと、レンズ保持部材をガイドに沿ってスライドさせる伝達機構とを有する。特許文献２に記載されたレンズ移動機構では、ガイドとして機能するスライド軸がレンズ保持部材の貫通穴を貫通しており、伝達機構の一部を形成するリードナットがスライド軸に平行に上下することで、レンズ保持部材をスライドさせる。
【先行技術文献】
【特許文献】
【０００５】
【特許文献１】特開２００４−７７７０５号公報
【特許文献２】特開２００５−２５１３５２号公報
【特許文献３】特開２０１０−２１１８４９号公報
【発明の概要】
【発明が解決しようとする課題】
【０００６】
ガイドを構成する軸をレンズ保持部材に貫通させる構成では、作業者は、軸をレンズ保持部材に貫通させた後、軸をシャーシに固定しなければならない。また、製品の組み付け段階で何らかの原因により、軸とレンズ保持部材とを分解する必要が生じても、簡単には分解することができない。特に、軸をシャーシに固定するために接着剤や、ネジ等を用いていると、分解の過程で軸やレンズ保持部材を傷づける場合がある。
【０００７】
本発明は、上記課題にかんがみてなされたもので、組み付け時における作業性を向上することができる光ピックアップ、およびこの光ピックアップを用いた光ディスク装置の提供を目的とする。
【課題を解決するための手段】
【０００８】
上記課題を解決するために、本発明の一態様では、光学部品を配置した光ピックアップと、前記光学部品の光軸上に配置された球面収差補正用レンズを、第１の方向にスライドさせるレンズ移動機構と、を備える光ディスク装置であって、前記レンズ移動機構は、前記第１の方向に伸びたガイドと、前記ガイドにより前記第１の方向にスライド可能にガイドされるレンズ保持部材と、前記レンズ保持部材に対して前記ガイドに向けた力を加える付勢部材と、前記レンズ保持部材を、前記第１の方向にスライドさせる伝達機構と、を有し、前記レンズ保持部材は、前記ガイドと対向する側が開いた溝形状であり、前記溝形状の内壁で前記ガイドを受ける受け部を有する。
【０００９】
ここで、本明細書中で使用される以下の言葉は、以下の意味で用いる。
『ガイド』とは、レンズ保持部材を第１の方向に案内する部材または部位の意味で用いる。そのため、ガイドの形状は、断面が円状の軸状部材に限定されず、断面が多角形状のものも含まれる。また、ガイドは、個別の部品である場合の他、シャーシ等の他の部品の一部であってもよい。
『伝達機構』とは、レンズ保持部材をスライドさせる力を加える機構であり、レンズ保持部材と接触して力を加えるものの他、他の部材を介して間接的にレンズ保持部材をスライドさせる力を加えるものも含まれる。
『付勢部材』とは、レンズ保持部材に対してガイドに向けた外力を加える部材であればどのようなものであってもよく、バネ、ゴム等の弾性部材や、エラストマー等も含まれる。
『溝形状の内壁でガイドを受ける』とは、溝の内壁とガイドの外周部が少なくとも１部で接触した状態を意味する。
【００１０】
上記のように構成された発明では、レンズ保持部材のガイドを受ける受け部は、ガイドと対向する側が開いた溝形状であり、溝形状の内壁でガイドを受ける。そして、レンズ保持部材は、付勢部材によりガイド方向に向けた力を加えられている。そのため、レンズ保持部材の受け部の内壁側にガイドを挿入し、付勢部材によりこのレンズ保持部材とガイドとを位置決めすることで、レンズ移動機構を組み立てる。そのため、レンズ移動機構の組み付け時における作業性を向上することができる。
【００１１】
本発明の一態様では、前記伝達機構は、モーターと、前記モーターの回転に合わせて前記レンズ保持部材を前記第１の方向に沿って押し出すナット部材と、を有し、
前記ナット部材は、前記レンズ保持部材と係わり、前記レンズ保持部材の前記第１の方向と交差する第２の方向での動きを規制する規制片を有する。
上記のように構成された発明では、ナット部材の規制片によりレンズ保持部材の第２の方向での動きを規制するため、レンズ保持部材がガイドから外れてしまうのを抑制することができる。
【００１２】
本発明の一態様では、前記レンズ移動機構は、前記受け部の開いた側と反対側から、前記レンズ保持部材を抑える押さえ部材を、有する。
上記のように構成された発明では、押さえ部材によりレンズ保持部材を抑えることで、レンズ保持部材がガイドから外れてしまうのを抑制することができる。
【００１３】
本発明の一態様では、前記受け部の内幅は、前記ガイドの幅と比べて大きい。
上記のように構成された発明では、レンズ保持部材とガイドとの着脱を容易にすることができ、作業性を高めることができる。
【００１４】
本発明の一態様では、前記光ピックアップは、前記光学部品を保持するシャーシを有し、前記ガイドは、前記シャーシに一体で形成されている。
上記のように構成された発明では、ガイドを取り付けるための接着剤やネジを必要とせず、組み付けに要する工程を減らすことができる。
【００１５】
本発明の一態様では、前記ガイドと前記受け部とは、互いに係わる抜け止め部が形成されている。
上記のように構成された発明では、抜け止め部により、レンズ保持部材がガイドから外れてしまうのを抑制することができる。
【図面の簡単な説明】
【００１６】
【図１】光ディスク装置を説明する分解斜視図。
【図２】光ピックアップ１０の外観を示す斜視図。
【図３】ピックアップシャーシ１１に収容された光学部品を説明する図。
【図４】光ピックアップ１０をＺ２側から見た図。
【図５】レンズ移動機構５０を説明する図。
【図６】レンズ保持部材を説明する斜視図。
【図７】リードナットとレンズ保持部材６０との関係を示す図。
【図８】第４の実施形態において、レンズ移動機構５０を説明する断面図。
【図９】第４の実施形態において、レンズ移動機構５０を説明する断面図。
【発明を実施するための形態】
【００１７】
以下、下記の順序に従って本発明の実施形態を説明する。
１．第１の実施形態：
（１）光ディスク装置の構成
（２）光ピックアップの構成
（３）レンズ移動機構の構成
２．第２の実施形態：
３．第３の実施形態：
４．第４の実施形態：
５．その他の実施形態：
【００１８】
１．第１の実施形態：
（１）光ディスク装置の構成
図１は、光ディスク装置を説明する分解斜視図である。
光ディスク装置は、レコーダー、プレーヤー、更には、ＰＣとして構成されている。
図１に示すように、光ディスク装置１は、システムシャーシ２、トラバースアッシー４、クランパー５、を有する。
以下の説明では、光ディスク装置１の前後方向をＹ方向とし、幅方向をＸ方向とし、高さ方向をＺ方向として記載する。また、Ｙ方向において前方をＹ１側、後方をＹ２側とする。そして、Ｘ方向において、光ディスク装置１を前方から見た場合の左方向をＸ１側、右方向をＸ２側とする。さらに、Ｚ方向の上方をＺ１側、下方をＺ２側とも記載する。
【００１９】
システムシャーシ２は、上部（Ｚ１側）の一部が開口する箱型形状であって、トラバースアッシー４を収容する収容空間を備える。また、システムシャーシ２の前方（Ｙ１側）には、不図示のトレイがＹ方向にスライド可能に取り付けられている。システムシャーシ２は、樹脂を用いて成形することで形成される。
【００２０】
また、システムシャーシ２の前方には、トラバースアッシー４がＺ方向に昇降可能に保持されている。トラバースアッシー４は、光ピックアップ１０が、主軸１２ａ、副軸１２ｂを介してトラバースシャーシ１３に保持されている。すなわち、光ピックアップ１０は、主軸１２ａ、副軸１２ｂにより、トラバースシャーシ１３に対してＹ方向にスライド可能に保持されている。光ピックアップ１０は、光学式のピックアップヘッドである。また、光ピックアップ１０の主軸１２ａで保持される側には、ティース１４が接続されている。ティース１４は、スクリューモーター１５の回転軸１６と噛み合っており、スクリューモーター１５の回転に伴って、光ピックアップ１０をトラッキング方向（Ｙ方向）に移動させる。
例えば、スクリューモーター１５は、ＤＣモーターや、ステッピングモーターである。
【００２１】
また、トラバースシャーシ１３には、スピンドルモーター（不図示）を介して光ディスクを回転させるターンテーブル１７が取り付けられている。スピンドルモーターは、例えば、ＤＣモーターや、ステッピングモーターである。
【００２２】
（２）光ピックアップの構造
次に、光ピックアップ１０を説明する。
図２、光ピックアップ１０の外観を示す斜視図である。図２は、光ピックアップ１０をＺ１側から見た図である。また、図３は、ピックアップシャーシ１１に収容された光学部品を説明する図である。
【００２３】
図２、図３に示すように、光ピックアップ１０は、ピックアップシャーシ１１、半導体レーザー２０、２１、フォトディテクター２２、光学部品３０、カバー４０、レンズ移動機構５０を備える。
【００２４】
ピックアップシャーシ１１の一方の面（対物レンズ３７、３８が位置する側の面）には、上方（Ｚ１側）が開口する収容空間Ｓ１（図中点線で示す。）が形成されている。この収容空間Ｓ１には、半導体レーザー２０、２１、光学部品３０、フォトディテクター２２を収容する。収容空間Ｓ１には、半導体レーザー２０、２１、光学部品３０、フォトディテクター２２を、図３に示した位置関係に対応させて配置している。また、ピックアップシャーシ１１の収容空間Ｓ１が開口する側（Ｚ１側）とは反対側（Ｚ２側）の面には、下方（Ｚ２側）が開口する収容空間Ｓ２（図中点線で示す）が形成されている。この収容空間Ｓ２は、レンズ移動機構５０を収容している。また、収容空間Ｓ２はその内部で一部が収容空間Ｓ１と連続している。そして、ピックアップシャーシ１１の収容空間Ｓ２が開口する側には、カバー４０が取り付けられている。ピックアップシャーシ１１は、例えば、樹脂により形成されている。
【００２５】
ピックアップシャーシ１１の収容空間Ｓ１には、波長の異なる２つの半導体レーザー２０、２１が収容されている。第１の半導体レーザー２０は、ＤＶＤ（Digital Versatical Disk）用のレーザー光（例えば波長６５０ｎｍ帯のレーザー光）とＣＤ（Compact Disc）用のレーザー光（例えば波長７８０ｎｍ帯のレーザー光）とをそれぞれ出力することができる。また、第２の半導体レーザー２１は、ＢＤ（Blue-ry Disk）用のレーザー光（例えば波長４０５ｎｍ帯のレーザ光）を出射する。
【００２６】
ピックアップシャーシ１１の収容空間Ｓ１には、光学部品３０が図４に示す位置関係を保って収容されている。光学部品３０は、回折格子３１、偏光ビームスプリッタ３２、１／４波長板３３、コリメートレンズ３４、第１の反射ミラー３５、第２の反射ミラー３６、対物レンズ３７、３８、ビームスプリッタ３９、不図示のセンサレンズを備える。
【００２７】
図３を用いて、メディアに集光される光の光路を説明する。以下では、光ディスクとしてＤＶＤを再生する際のレーザー光の光路を説明する。第１の半導体レーザー２０から出射されたレーザー光は、回折格子３１によって主光と副光とに分けられる。回折格子を３１を経たレーザー光はビームスプリッタ３９で反射され、偏光ビームスプリッタ３２、１／４波長板３３及びコリメートレンズ３４を透過する。コリメートレンズ３４を透過したレーザー光は、第１の反射ミラー３５によって所定角度に反射され、第１の対物レンズ３７へと至る。コリメートレンズ３４は、球面収差補正用レンズであり、レンズ移動機構５０により、光軸に沿ってスライドすることができる。
【００２８】
第１の対物レンズ３７は、入射したレーザー光を光ディスクの記録面に集光する。そして、光ディスクに集光したレーザー光は記録面で反射し、戻り光と成る。戻り光は第１の対物レンズ３７を通過後、第１の反射ミラー３５により反射される。第１の反射ミラー３５は、レーザー光の光軸に対してミラー面が所定の傾斜角度となるようピックアップシャーシ１１に固定されている。そして、コリメートレンズ３４、１／４波長板３３、偏光ビームスプリッタ３２、ビームスプリッタ３９を順に透過した戻り光は、フォトディテクター２２に集光される。
なお、第２の半導体レーザー２１から出射されたレーザー光の光路については、説明を省略する。
【００２９】
フォトディテクター２２は、集光した光信号を電気信号に変換し、この電気信号を図示しない信号処理部に送信する。信号処理部は、受信した電子信号から、再生信号、フォーカスエラー（ＦＥ）信号、トラッキングエラー（ＴＥ）信号を生成する。こられ、再生信号、ＦＥ信号、ＴＥ信号は、光ディスクを再生する際に用いられる。
【００３０】
また、光ディスクは、その規格によって、記録層を１層とするものと２層とするものが存在する。記録層を２層とする光ディスクでは、各層までの距離（保護層から記録層までの厚み）が異なるため、球面収差が問題となる。そのため、図３に示すように、コリメートレンズ３４をレンズ移動機構５０により光軸に沿ってスライドさせることで、球面収差を補正している。
【００３１】
（３）レンズ移動機構の構成
次に、レンズ移動機構５０について説明する。
図４は、光ピックアップ１０を収容空間Ｓ２の開口側（Ｚ２側）から見た図である。また、図５は、レンズ移動機構５０を説明する図である。図５（ａ）は、レンズ移動機構５０をＺ２側から見た上面図である。また、図５（ｂ）は、図５（ａ）のＡ−Ａ断面での断面図である。そして、図６は、レンズ保持部材を説明する斜視図である。なお、図４−図６では、図示していないが、ピックアップシャーシ１１の収容空間Ｓ２の開口には、カバー４０が取り付けられる。
【００３２】
図４に示すように、レンズ移動機構５０は、ピックアップシャーシ１１の収容空間Ｓ２に収容されている。上記のように、レンズ移動機構５０は、コリメートレンズ３４を、光軸に沿って前後（Ｘ方向）にスライドさせる。
レンズ移動機構５０は、コリメートレンズ３４を保持するレンズ保持部材６０と、レンズ保持部材６０の第１の方向でのスライドをガイドするガイド（第１のガイド７１、第２のガイド７２）と、レンズ保持部材６０を、第１の方向（Ｘ方向）にスライドさせる伝達機構８０と、付勢部材として機能するバネ９０と、レンズ保持部材６０がＸ１方向に戻る際の力を与える戻りバネ９１と、を有している。
【００３３】
図４−図６に示すように、レンズ保持部材６０は、第１のガイド受け部６１と、ガイド受け部６１の一方の端に位置しコリメートレンズ３４を固定するレンズ固定部６２と、第１のガイド受け部６１の他方の端に位置し伝達機構８０（リードナット８３）からの力を受ける伝達部６３と、レンズ固定部６２におけるガイド受け部６１とは反対側の端に位置する第２のガイド受け部６４と、を有している。この第１の実施形態では、レンズ固定部６２と伝達部６３とは、それぞれガイド受け部６１からＸ２側に下がった位置に位置しているが、これに限定されず、第１のガイド受け部６１、レンズ固定部６２、伝達部６３が直線状に並んでいてもよい。
例えば、レンズ保持部材６０は、樹脂により成形される。
【００３４】
図５、図６に示すように、第１のガイド受け部６１は、直線状に延びて(図のＸ方向）、第１のガイド７１と対向する側（Ｚ１側）が開いた溝部６１ａを有する。第１のガイド受け部６１の溝部６１ａの内幅は、第１のガイド７１の幅と比べて大きくなっており、この溝部６１ａに第１のガイド７１を挿入することができる。また、第１のガイド受け部６１の上方には、バネ９０の一端が固定される固定用片６５が形成されている。
【００３５】
レンズ固定部６２は、コリメートレンズ３４が収容される開口６２ａを備える枠形状である。そのため、レンズ固定部６２は、この開口６２ａにコリメートレンズ３４を収容させた状態で接着剤を用いて固定させることができる。
【００３６】
また、レンズ固定部６２の第１のガイド受け部６１と反対側の端には、第２のガイド受け部６４が形成されている。第２のガイド受け部６４は、レンズ固定部６２の上部（Ｚ２側）から伸びた突形状である。そのため、第２のガイド受け部６４の下面に第２のガイド７２の上面を接触させることができる。
【００３７】
伝達部６３は、薄板状であり、伝達機構８０の軸部（後述するリードスクリュー８２）が貫通する開口６３ａが形成されている。また、開口６３ａは、第１のガイド受け部６１の溝部６１ａと同じ方向（Ｚ１側）が開いており、伝達機構８０の軸部を上側から挿入することができる。
【００３８】
ガイド（第１のガイド７１、第２のガイド７２）は、ピックアップシャーシ１１の収容空間Ｓ２内に、形成されている。
第１のガイド７１は、所定の長さを有する断面が円形状の軸により構成されている。また、第１のガイド７１は、延設方向がレンズ移動機構５０のスライド方向（Ｙ方向）となるようピックアップシャーシ１１の軸受けに固定されている。この第１の実施形態では、ガイド７０は、接着剤によりピックアップシャーシ１１の軸受けに接着されている。
また、第２のガイド７２はレンズ移動機構５０のスライド方向（Ｘ方向）に伸びた板状部材により形成されている。この第１の実施形態では、第２のガイド７２は、ピックアップシャーシ１１の底面と一体で成形されている。
【００３９】
伝達機構８０は、ステッピングモーター８１と、リードスクリュー８２と、ナット部材として機能するリードナット８３と、を備える。ステッピングモーター８１は、回転軸として機能するリードスクリュー８２の軸方向を、レンズ保持部材６０の伝達部６３に向けた状態でピックアップシャーシ１１の収容空間Ｓ２に固定されている。また、リードスクリュー８２の先端には、リードナット８３が螺合している。リードナット８３は、矩形状の板状部材であり、ステッピングモーター８１が駆動することで、リードスクリュー８２が回転し、Ｘ方向の位置を変化させる。
【００４０】
バネ９０は、一端がピックアップシャーシ１１に固定され、他端がレンズ保持部材６０の固定用片６５に固定されている。この第１の実施形態では、バネ９０のピックアップシャーシ１１側の取り付け位置（Ｚ方向での位置）は、レンズ保持部材６０側の固定用片６５の位置よりも低くなっている。そのため、バネ９０は、レンズ保持部材６０に対して下側（Ｚ１側）に力を加えることができる。
【００４１】
以上説明したように、この第１の実施形態では、レンズ移動機構５０を組み立てる場合、まず、ステッピングモーター８１にリードナット８３を取り付けた状態で、ピックアップシャーシ１１の収容空間Ｓ２に固定する。次に、第１のガイド７１に戻りバネ９１を貫通させた状態で、ピックアップシャーシ１１の軸受け部に接着する。次に、ガイド７１、７２の上側（Ｚ１側）から、レンズ保持部材６０を被せる。このとき、溝部６１ａに第１のガイド７１を挿入し、第２のガイド受け部６４を第２のガイド７２の上方に載せる。そして、バネ９０の両端をピックアップシャーシ１１とレンズ保持部材６０の固定用片６５とにそれぞれ固定し、レンズ保持部材６０をガイド７１、７２に位置決めする。さらに、カバー４０をピックアップシャーシ１１に取り付ける。
【００４２】
また、レンズ移動機構５０を分解する場合は、ピックアップシャーシ１１からカバー４０を取外した後、バネ９０を取外す。次に、第１のガイド７１、第２のガイド７２に被せられたレンズ保持部材６０をピックアップシャーシ１１から取外す。
【００４３】
そのため、作業者は、軸をレンズ保持部材６０に貫通させた後、軸をピックアップシャーシ１１に固定する必要がない。また、製品の組み付け段階で何らかの原因により、レンズ保持部材６０とガイド７０とを分解する必要が生じても、バネ９０を取外すことで、簡単に分解することができる。そのため、レンズ移動機構の組み付け時における作業性を向上することができる。
【００４４】
また、第１のガイド受け部６１の溝の内幅は、前記ガイドの幅と比べて大きくなっているため、レンズ保持部材６０とガイド７０との着脱を容易にすることができ、作業性を高めることができる。
【００４５】
２．第２の実施形態：
この第２の実施形態では、リードナット８３の一端に、レンズ保持部材６０の伝達部６３の動き（Ｘ方向と交差する方向での動き）を規制する規制片８３ｂが形成されている形状が第１の実施形態と比べて異なる。
【００４６】
図７は、リードナット８３とレンズ保持部材６０との関係を示す図である。図７（ａ）は、リードナット８３を示す斜視図である。また、図７（ｂ）は、リードナット８３と接触しているレンズ保持部材６０を示す斜視図である。
【００４７】
図７に示すリードナット８３の上部には、ネジ穴８３ａの貫通方向に伸びた規制片８３ｂが形成されている。例えば、規制片８３ｂは、リードナット８３と一体で形成されている。
また、伝達部６３の上部（Ｚ２側）には、切り欠き部６３ｂが形成されている。この切り欠き部６３ｂは、リードナット８３の規制片８３ｂが挿入するだけの幅を備えている。より好ましくは、切り欠き部６３ｂの幅は、切り欠き部６３ｂに規制片８３ｂを挿入した際に、がたつきが生じるほどの幅であることが望ましい。
【００４８】
さらに、ピックアップシャーシ１１の収容空間Ｓ２を塞ぐカバー４０には、リードナット８３の規制片８３ｂが挿入する溝部４１が形成されている。溝部４１は、リードナット８３のスライド方向（すなわち、Ｘ方向）に伸びるよう形成されている。この第２の実施形態では、カバー４０は、レンズ保持部材６０をＺ２側に抑える押さえ部材としても機能する。
【００４９】
上記構成のレンズ移動機構５０では、リードナット８３にステッピングモーター８１からの駆動力が伝えられＸ方向にスライドする際、リードナット８３の規制片８３ｂがレンズ保持部材６０の切り欠き部６３ｂと接触しながら前進する。また、リードナット８３の規制片８３ｂはカバー４０の溝部４１に挿入しており、リードナット８３は溝部４１にガイドされながら前進する。そのため、リードナット８３の規制片８３ｂがレンズ保持部材６０のＸ方向と交差する動き（例えば、Ｙ方向の動き）を規制し、レンズ保持部材６０がガイド７０から外れてしまうのを抑制することができる。
【００５０】
また、レンズ移動機構５０は、第１のガイド受け部６１の開いた側と反対側から、レンズ保持部材６０を抑えるカバー（押さえ部材）４０を、有する。そのため、カバー４０によりレンズ保持部材６０を抑えることで、レンズ保持部材６０がガイド７０から外れてしまうのを抑制することができる。
【００５１】
３．第３の実施形態：
この第３の実施形態では、ガイド（第１のガイド７１）がピックアップシャーシ１１に一体で成形されている構成が第１、第２の実施形態と比べて異なる。
【００５２】
図８は、第３の実施形態において、レンズ移動機構５０を説明する断面図である。
図８に示す第１のガイド１７１は、ピックアップシャーシ１１の底面から出た（Ｚ２側に出た）片により形成されている。すなわち、第１のガイド１７１は、ピックアップシャーシ１１に対して一体で形成されている。なお、ピックアップシャーシ１１の底面には、第１の実施形態と同様の形状の第２のガイド７２も形成されている。
【００５３】
図８に示す第１のガイド１７１は、断面が釣鐘型の片により形成されている。また、レンズ保持部材６０は第１の実施形態と同様に、第１のガイド１７１が挿入する溝部６１ａを備える第１のガイド受け部６１を有している。また、第１のガイド受け部６１の溝部６１ａの内幅は、第１のガイド１７１の幅と比べて大きくなっている。
【００５４】
上記のように構成された第３の実施形態にかかるレンズ移動機構５０の組み立てでは、第１の実施形態と比べて、第１のガイド１７１をピックアップシャーシ１１に固定する工程を省略することができる。また、第１のガイド１７１をピックアップシャーシ１１に固定するための接着剤やネジ等を用いる必要がないため、レンズ移動機構５０を分解する場合でも、レンズ保持部材６０を傷つけてしまうことがない。
そのため、レンズ移動機構の組み付け時における作業性を向上することができる。
【００５５】
４．第４の実施形態
この第４の実施形態では、ガイドとレンズ保持部材６０の第１のガイド受け部とは、互いに係わる抜け止め部が形成されている構成が他の実施形態と比べて異なる。
【００５６】
図９は、第４の実施形態において、レンズ移動機構５０を説明する断面図である。
図９に示すレンズ保持部材６０の第１のガイド受け部６１には、抜け止め部として機能する突部６１１が形成されている。突部６１１は、溝部６１ａの内壁から内向きに出ている。また、突部６１１は、溝部６１ａが伸びる方向（Ｘ方向）に沿って連続で形成されている。無論、これに限定されず、Ｘ方向に不連続に形成されていてもよい。
【００５７】
また、第１のガイド７１は、抜け止め部として機能する係止部７１１が形成されている。係止部７１１は、第１のガイド７１の上部に位置、爪状に湾曲した形状である。また、係止部７１１は、第１のガイド７１の伸びる方向（Ｘ方向）に連続で形成されている。無論、これに限定されず、Ｘ方向に不連続に形成されていてもよい。
【００５８】
図９に示す第１のガイド７１をレンズ保持部材６０の溝部６１ａに挿入させることで、突部６１１と係止部７１１とが互いに係わり、レンズ保持部材６０が第１のガイド７１から外れてしまうのを抑制することができる。
【００５９】
５．その他の実施形態：
ガイド７０の形状は、断面が円状の軸状部材に限定されず、断面が多角形状のものも含まれる。
伝達機構として、モーターを用いるものは一例に過ぎない。レンズ保持部材をスライドさせる力を加える機構であれば、レンズ保持部材と接触して力を加えるものの他、他の部材を介して間接的にレンズ保持部材をスライドさせる力を加えるものも含まれる。
付勢部材として、バネを用いたことは一例に過ぎない。レンズ保持部材に対してガイドに向けた外力を加える部材であればどのようなものであってもよく、バネ、ゴム等の弾性部材や、エラストマー等も含まれる。
【００６０】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００６１】
１０…光ピックアップ、１１…ピックアップシャーシ、１２ａ…主軸、１２ｂ…副軸、１３…トラバースシャーシ、１４…ティース、１５…スクリューモーター、１６…回転軸、１７…ターンテーブル、２０、２１…半導体レーザー、２２…フォトディテクター、３０…光学部品、３１…回折格子、３２…偏光ビームスプリッタ、３３…１／４波長板、３４…コリメートレンズ、３５…第１の反射ミラー、３６…第２の反射ミラー、３７、３８…対物レンズ、３９…ビームスプリッタ、４０…カバー、４１…溝部、５０…レンズ移動機構、６０…レンズ保持部材、６１…第１のガイド受け部、６１ａ…溝部、６２…レンズ固定部、６２ａ…開口、６３…伝達部、６３ａ…開口、６３ｂ…切り欠き部、６４…第２のガイド受け部、６５…固定用片、７０…ガイド、７１…第１のガイド、７２…第２のガイド、８０…伝達機構、８１…ステッピングモーター、８２…リードスクリュー、８３…リードナット、８３ａ…ネジ穴、８３ｂ…規制片、９０…バネ、９１…バネ
【図１】
2015225678.tif 000003
【図２】
2015225678.tif 000004
【図３】
2015225678.tif 000005
【図４】
2015225678.tif 000006
【図５】
2015225678.tif 000007
【図６】
2015225678.tif 000008
【図７】
2015225678.tif 000009
【図８】
2015225678.tif 000010
【図９】
2015225678.tif 000011